(57)【要約】【課題】本発明は、店舗により提供された買物袋の次回店舗訪問時の持参・再利用を促進することを課題とする。【解決手段】本発明によれば、顧客に提供される特典を決定する決定部１３と、決定部１３の決定内容に基づき、決定された特典を示す特典情報を顧客に提供される買物袋に印刷する処理、又は、互いに異なる特典情報を付与された複数種類の買物袋の中のいずれを顧客に提供すべきかを示す情報をディスプレイに表示する処理を実行する出力部１４と、を有する会計装置１０が提供される。【選択図】図２
2018073274.tif 000002
【特許請求の範囲】
【請求項１】
顧客に提供される特典を決定する決定手段と、
前記決定手段の決定内容に基づき、決定された前記特典を示す特典情報を前記顧客に提供される買物袋に印刷する処理、又は、互いに異なる前記特典情報を付与された複数種類の買物袋の中のいずれを顧客に提供すべきかを示す情報をディスプレイに表示する処理を実行する出力手段と、
を有する会計装置。
【請求項２】
請求項１に記載の会計装置において、
商品情報を取得する商品情報取得手段と、
前記商品情報に基づき、購入金額合計を算出する算出手段と、
をさらに有し、
前記決定手段は、前記商品情報、及び、前記購入金額合計のうちの少なくとも一方に基づき、前記特典を決定する会計装置。
【請求項３】
請求項１又は２に記載の会計装置において、
前記特典情報、及び、複数の買物袋各々を識別する袋識別情報を、前記買物袋から取得する読込手段と、
前記袋識別情報をサーバに送信し、当該買物袋から前記特典情報及び前記袋識別情報を取得された積算回数を前記サーバから取得する返信情報取得手段と、
をさらに有し、
前記算出手段は、前記特典情報及び前記積算回数に基づき、今回のサービス内容を決定する会計装置。
【請求項４】
請求項３に記載の会計装置において、
前記特典は、前記積算回数に基づきサービス内容が変わるものであり、
前記算出手段は、前記特典情報及び前記積算回数に基づき、今回の会計処理時に適用する前記サービス内容を決定し、決定した前記サービス内容に基づき前記購入金額合計を算出する会計装置。
【請求項５】
請求項１又は２に記載の会計装置において、
前記特典情報、及び、複数の買物袋各々を識別する袋識別情報を、前記買物袋から取得する読込手段と、
前記特典情報及び前記袋識別情報をサーバに送信し、当該買物袋から前記特典情報及び前記袋識別情報を取得された積算回数に基づいて決定されたサービス内容を前記サーバから取得する返信情報取得手段と、
をさらに有する会計装置。
【請求項６】
複数の買物袋各々を識別する袋識別情報を、前記買物袋から取得する読込手段と、
前記袋識別情報をサーバに送信し、当該買物袋から前記袋識別情報を取得された積算回数を前記サーバから取得する返信情報取得手段と、
前記積算回数に基づき、今回のサービス内容を決定する算出手段と、
を有する会計装置。
【請求項７】
複数の買物袋各々を識別する袋識別情報を、前記買物袋から取得する読込手段と、
前記袋識別情報をサーバに送信し、当該買物袋から前記袋識別情報を取得された積算回数に基づいて決定されたサービス内容を前記サーバから取得する返信情報取得手段と、
を有する会計装置。
【請求項８】
複数の買物袋各々から取得された前記買物袋を識別する袋識別情報を、会計装置から取得する読込情報取得手段と、
前記袋識別情報各々に、前記袋識別情報を取得された積算回数を対応付けた対応情報を記憶する対応情報記憶手段と、
前記読込情報取得手段が取得した前記袋識別情報に基づき、前記対応情報を更新する更新手段と、
前記対応情報を参照して、前記読込情報取得手段が取得した前記袋識別情報に対応する前記積算回数を取得する返信情報決定手段と、
前記返信情報決定手段が取得した前記積算回数を、前記会計装置に返信する返信手段と、
を有するサーバ。
【請求項９】
複数の買物袋各々から取得された前記買物袋を識別する袋識別情報を、会計装置から取得する読込情報取得手段と、
前記袋識別情報各々に、前記袋識別情報を取得された積算回数を対応付けた対応情報を記憶する対応情報記憶手段と、
前記対応情報を参照して、前記読込情報取得手段が取得した前記袋識別情報に対応する前記積算回数を取得し、前記積算回数に基づいてサービス内容を決定する返信情報決定手段と、
前記返信情報決定手段が取得した前記サービス内容を、前記会計装置に返信する返信手段と、
を有するサーバ。
【請求項１０】
請求項３、４又は６に記載の会計装置と、請求項８に記載のサーバとを有する会計システム。
【請求項１１】
請求項５又は７に記載の会計装置と、請求項９に記載のサーバとを有する会計システム。
【請求項１２】
コンピュータが、
顧客に提供される特典を決定する決定工程と、
前記決定工程での決定内容に基づき、決定された前記特典を示す特典情報を前記顧客に提供される買物袋に印刷する処理、又は、互いに異なる前記特典情報を付与された複数種類の買物袋の中のいずれを顧客に提供すべきかを示す情報をディスプレイに表示する処理を実行する出力工程と、
を実行する処理方法。
【請求項１３】
コンピュータを、
顧客に提供される特典を決定する決定手段、
前記決定手段の決定内容に基づき、決定された前記特典を示す特典情報を前記顧客に提供される買物袋に印刷する処理、又は、互いに異なる前記特典情報を付与された複数種類の買物袋の中のいずれを顧客に提供すべきかを示す情報をディスプレイに表示する処理を実行する出力手段、
として機能させるプログラム。
【発明の詳細な説明】
【技術分野】
【０００１】
本発明は、会計装置、サーバ、会計システム、処理方法及びプログラムに関する。
【背景技術】
【０００２】
特許文献１には、スーパーマーケット等の小売業者で使用される買物袋に広告を掲載する技術が開示されている。
【０００３】
特許文献２には、クリーニング業者で利用される包装袋に、他業種の広告、他業種のクーポンチケット、他業種の割引券、コード等を印刷する技術が開示されている。
【先行技術文献】
【特許文献】
【０００４】
【特許文献１】実用新案登録第３１０１８４１号
【特許文献２】実用新案登録第３１４５１３０号
【発明の概要】
【発明が解決しようとする課題】
【０００５】
近年、店舗から顧客に提供する買物袋（例：ポリエチレン等で製造されたレジ袋）を減らす取り組みがなされている。特許文献１及び２いずれも、当該問題を解決する手段を開示していない。
【０００６】
本発明の課題は、店舗により提供された買物袋の次回店舗訪問時の持参・再利用を促進することである。
【課題を解決するための手段】
【０００７】
本発明によれば、
顧客に提供される特典を決定する決定手段と、
前記決定手段の決定内容に基づき、決定された前記特典を示す特典情報を顧客に提供される買物袋に印刷する処理、又は、互いに異なる前記特典情報を付与された複数種類の買物袋の中のいずれを顧客に提供すべきかを示す情報をディスプレイに表示する処理を実行する出力手段と、
を有する会計装置が提供される。
【０００８】
また、本発明によれば、
複数の買物袋各々を識別する袋識別情報を、前記買物袋から取得する読込手段と、
前記袋識別情報をサーバに送信し、当該買物袋から前記袋識別情報を取得された積算回数を前記サーバから取得する返信情報取得手段と、
前記積算回数に基づき、今回のサービス内容を決定する算出手段と、
を有する会計装置が提供される。
【０００９】
また、本発明によれば、
複数の買物袋各々を識別する袋識別情報を、前記買物袋から取得する読込手段と、
前記袋識別情報をサーバに送信し、当該買物袋から前記袋識別情報を取得された積算回数に基づいて決定されたサービス内容を前記サーバから取得する返信情報取得手段と、
を有する会計装置が提供される。
【００１０】
また、本発明によれば、
複数の買物袋各々から取得された前記買物袋を識別する袋識別情報を、会計装置から取得する読込情報取得手段と、
前記袋識別情報各々に、前記袋識別情報を取得された積算回数を対応付けた対応情報を記憶する対応情報記憶手段と、
前記読込情報取得手段が取得した前記袋識別情報に基づき、前記対応情報を更新する更新手段と、
前記対応情報を参照して、前記読込情報取得手段が取得した前記袋識別情報に対応する前記積算回数を取得する返信情報決定手段と、
前記返信情報決定手段が取得した前記積算回数を、前記会計装置に返信する返信手段と、
を有するサーバが提供される。
【００１１】
また、本発明によれば、
複数の買物袋各々から取得された前記買物袋を識別する袋識別情報を、会計装置から取得する読込情報取得手段と、
前記袋識別情報各々に、前記袋識別情報を取得された積算回数を対応付けた対応情報を記憶する対応情報記憶手段と、
前記対応情報を参照して、前記読込情報取得手段が取得した前記袋識別情報に対応する前記積算回数を取得し、前記積算回数に基づいてサービス内容を決定する返信情報決定手段と、
前記返信情報決定手段が取得した前記サービス内容を、前記会計装置に返信する返信手段と、
を有するサーバが提供される。
【００１２】
また、本発明によれば、前記会計装置と、前記サーバとを有する会計システムが提供される。
【００１３】
また、本発明によれば、
コンピュータが、
顧客に提供される特典を決定する決定工程と、
前記決定工程で決定内容に基づき、決定された前記特典を示す特典情報を顧客に提供される買物袋に印刷する処理、又は、互いに異なる前記特典情報を付与された複数種類の買物袋の中のいずれを顧客に提供すべきかを示す情報をディスプレイに表示する処理を実行する出力工程と、
を実行する処理方法が提供される。
【００１４】
また、本発明によれば、
コンピュータを、
顧客に提供される特典を決定する決定手段、
前記決定手段の決定内容に基づき、決定された前記特典を示す特典情報を顧客に提供される買物袋に印刷する処理、又は、互いに異なる前記特典情報を付与された複数種類の買物袋の中のいずれを顧客に提供すべきかを示す情報をディスプレイに表示する処理を実行する出力手段、
として機能させるプログラムが提供される。
【発明の効果】
【００１５】
本発明によれば、店舗により提供された買物袋の次回店舗訪問時の持参・再利用を促進することができる。
【図面の簡単な説明】
【００１６】
【図１】本実施形態の装置のハードウエア構成の一例を概念的に示す図である。
【図２】本実施形態の会計装置の機能ブロック図の一例である。
【図３】本実施形態の特典情報を付与された買物袋の一例を模式的に示す図である。
【図４】本実施形態の会計装置がディスプレイに表示する情報の一例を模式的に示す図である。
【図５】本実施形態の会計装置の処理の流れの一例を示すフローチャートである。
【図６】本実施形態の会計システムの機能ブロック図の一例である。
【図７】本実施形態の会計装置の機能ブロック図の一例である。
【図８】本実施形態の会計システムで利用される情報の一例を模式的に示す図である。
【図９】本実施形態のサーバの機能ブロック図の一例である。
【図１０】本実施形態のサーバが管理する情報の一例を模式的に示す図である。
【図１１】本実施形態の特典情報を付与された買物袋の一例を模式的に示す図である。
【発明を実施するための形態】
【００１７】
＜第１の実施形態＞
まず、本実施形態の概要を説明する。本実施形態の会計装置は、会計処理時に、顧客に提供する特典を決定する。そして、会計装置は、決定した特典を示す特典情報を買物袋に印刷する処理、又は、互いに異なる特典情報を付与された複数種類の買物袋の中のいずれを顧客に提供すべきかを示す情報をディスプレイに表示する処理を行う。
【００１８】
会計装置が上記ディスプレイに表示する処理を行う場合、予め、互いに異なる特典情報を付与された複数種類の買物袋が製造され、用意されている。そして、店員は、ディスプレイに表示された情報に基づき顧客に提供すべき買物袋を特定し、特定した買物袋を顧客に提供する。
【００１９】
特典は、上記特典情報を付与された買物袋を持参することで、少なくとも自店舗で次回来店時に利用可能なものであり、例えば、割引サービスや、プレゼント提供などである。次回来店時に、特典情報を付与された買物袋を提示することで、顧客は所定の特典を受けることができる。
【００２０】
このような本実施形態の会計装置によれば、顧客が、店舗で受け取った買物袋を次回来店時に持参することが期待される。すなわち、店舗で受け取った買物袋の次回来店時の持参を促進できる。これにより、次回来店時におけるその買物袋の再利用を促進できる。結果、店舗から顧客への買物袋の提供を低減できる。
【００２１】
次に、本実施形態の会計装置のハードウエア構成の一例について説明する。本実施形態の会計装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２２】
図１は、本実施形態の会計装置のハードウエア構成を例示するブロック図である。図１に示すように、会計装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００２３】
なお、会計装置は、１つの装置により実現されてもよいし、物理的及び／又は論理的に互いに分かれた複数の装置により実現されてもよい。後者の場合、複数の装置各々が、図１に示すようなハードウエア構成を備えてもよい。そして、複数の装置が協働して、会計装置の機能を実現してもよい。
【００２４】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２５】
次に、本実施形態の会計装置の機能について詳細に説明する。図２に、本実施形態の会計装置１０の機能ブロック図の一例を示す。図示するように、会計装置１０は、商品情報取得部１１と、算出部１２と、決定部１３と、出力部１４とを有する。なお、会計装置１０は、いわゆるＰＯＳ（point of sale）レジスターであってもよい。この場合、会計装置１０は、店員が操作するＰＯＳレジスターであってもよいし、顧客が操作するセルフＰＯＳレジスターであってもよい。また、店員が商品の登録処理を行い、顧客が精算処理を行うセミセルフＰＯＳレジスターであってもよい。
【００２６】
商品情報取得部１１は、購入対象の商品の商品情報を取得する。商品情報は、少なくとも、複数の商品各々を識別する商品識別情報、購入個数、及び、販売価格を含む。商品情報は、その他の情報を含んでもよい。
【００２７】
商品情報取得部１１は、コードリーダ（例：バーコードリーダ、２次元コードリーダ）、タッチパネルディスプレイ、物理キー等の入力装置を介して入力された商品情報を取得することができる。例えば、商品に付与されたコード（例：バーコード、２次元コード）をコードリーダで読み込ませる操作により、商品識別情報等が会計装置１０に入力される。すなわち、商品に付与されたコードが商品識別情報を表す。なお、当該操作により、商品の販売価格が会計装置１０に入力されてもよい。すなわち、商品に付与されたコードが商品の販売価格を表してもよい。また、タッチパネルディスプレイのタッチ操作、物理キーの押下操作等により、商品識別情報、購入個数、販売価格等が会計装置１０に入力される。例えば、タッチパネルディスプレイの各エリアや各物理キーに、商品識別情報、購入個数、数字等の各種情報が対応付けられる。そして、タッチパネルディスプレイの各エリアや各物理キーに対する操作により、対応した情報の入力がなされる。
【００２８】
その他、商品情報取得部１１は、予め登録されている商品マスタから商品情報を取得してもよい。例えば、商品情報取得部１１は、上記入力装置を介した上記操作により商品識別情報を取得すると、当該商品識別情報に対応する情報（例：販売価格等）を商品マスタから取得してもよい。なお、会計装置１０が商品マスタを有してもよいし、複数の会計装置１０と通信可能に構成されたサーバが商品マスタを有してもよい。
【００２９】
算出部１２は、商品情報取得部１１が取得した商品情報に基づき、購入金額合計を算出する。すなわち、算出部１２は、購入対象の商品各々の販売価格を足し合わせた金額や、当該金額に消費税を加えた金額などを算出する。
【００３０】
決定部１３は、顧客に提供される特典を決定する。決定部１３は、商品情報取得部１１が取得した商品情報、及び、算出部１２が算出した購入金額合計のうちの少なくとも一方に基づき、顧客に提供される特典を決定してもよい。その他、決定部１３は、複数の特典の中からランダムに特典を選択し、選択した特典を顧客に提供される特典として決定してもよい。
【００３１】
特典は、特典を示す特典情報を付与された買物袋を持参することで、少なくとも自店舗で次回来店時に利用可能なものである。なお、当該特典は、自店舗と関連する店舗（例：同じグループに属する店舗）で利用可能であってもよい。
【００３２】
特典は、例えば、購入金額合計からＸ％の値引きであってもよい（Ｘは０より大１００より小）。Ｘは固定値であってもよいし、購入金額合計に応じて変動する変動値であってもよい。変動値の場合、例えば、購入金額合計が大きい程、Ｘの値が大きくなってもよい。
【００３３】
その他、特典は、所定の商品の値引きや、所定の商品のプレゼントであってもよい。値引きやプレゼントの対象の商品は、商品情報取得部１１が取得した商品情報に基づき決定されてもよい。例えば、商品情報取得部１１が取得した商品情報で示される商品と同じ商品、同種の異商品、異種商品等が、値引きやプレゼントの対象の商品として決定されてもよい。また、商品の値引き率は、固定値であってもよいし、購入金額合計に応じて変動する変動値であってもよい。変動値の場合、例えば、購入金額合計が大きい程、値引き率が大きくなってもよい。
【００３４】
ここで例示した特典はあくまで一例であり、これらに限定されない。
【００３５】
なお、決定部１３は、その他、商品情報取得部１１が取得した商品情報に基づき、顧客に提供する買物袋の大きさや数を算出してもよい。
【００３６】
例えば、商品マスタに、各商品の大きさや形状等を示す外形情報が登録されていてもよい。そして、商品情報取得部１１は、当該外形情報を商品情報として取得してもよい。その他、各商品に付与されたコードが当該外形情報を表してもよい。そして、商品情報取得部１１はコードリーダにより読み込まれた情報から当該外形情報を取得してもよい。
【００３７】
また、決定部１３は、予め、複数の買物袋各々の大きさを示す情報を保持しておいてもよい。そして、決定部１３は、任意の算出方法で、購入対象の商品すべてを収納するために必要な買物袋の大きさや数を算出してもよい。
【００３８】
出力部１４は、決定部１３の決定内容に基づき、「決定された特典を示す特典情報を買物袋に印刷する処理」、又は、「互いに異なる特典情報を付与された複数種類の買物袋の中のいずれを顧客に提供すべきかを示す情報（以下、「買物袋特定情報」）をディスプレイに表示する処理」を実行する。
【００３９】
特典情報は、文字、数字、図形等のテキストで特典を示したものであってもよい。また、特典情報は、特典を表すコード（例：バーコード、２次元コード）であってもよい。また、特典情報は、テキスト及びコードを含んでもよい。なお、特典情報は、有効期限を含んでもよい。
【００４０】
買物袋に上述のような特典情報を印刷する手段は特段制限されず、あらゆる技術を利用して実現できる。
【００４１】
出力部１４が、上記ディスプレイに表示する処理を実行する場合、予め、互いに異なる特典情報を付与された複数種類の買物袋が製造され、用意されている。そして、店員は、ディスプレイに表示された上記情報に基づき特定した買物袋を、顧客に提供する。
【００４２】
買物袋への特典情報の付与は、買物袋への特典情報の印刷で実現されてもよいし、特典情報を印刷等されたラベルを買物袋に貼付することで実現されてもよいし、その他であってもよい。
【００４３】
ディスプレイに表示される買物袋特定情報は、例えば、特典情報であってもよい。かかる場合、ディスプレイに表示された特典情報を付与された買物袋が特定される。その他、色、通番、通称等の識別情報により、互いに異なる特典情報を付与された複数種類の買物袋各々が識別されている場合、ディスプレイに表示される買物袋特定情報は、当該識別情報であってもよい。
【００４４】
図３に、特典情報を付与された買物袋１００の一例を示す。図により、特典は、「次回来店時に買物袋持参して再利用することで、購入金額合計から１％引きのサービス」であることが分かる。当該例の場合、特典を表すコード１０１が付与されている。なお、図ではコード１０１を模式的に示している。
【００４５】
図４に、買物袋特定情報を表示するディスプレイ２００の一例を模式的に示す。ディスプレイ２００には、商品情報取得部１１が取得した商品情報、算出部１２が算出した購入金額合計等が表示されている。又、エリア２０１に買物袋特定情報が表示されている。
【００４６】
例えば、図３に示す買物袋に加えて、割引率が各々３％、５％である３種類の買物袋が予め用意されているとする。エリア２０１に表示された買物袋特定情報によれば、当該３種類の買物袋の中の割引率１％の特典情報を付与された買物袋が特定される。
【００４７】
次に、図５のフローチャートを用いて、本実施形態の会計装置１０の処理の流れの一例を説明する。ここでは、特典が、購入金額の割引等、購入金額合計の算出に影響するものとする。
【００４８】
まず、商品情報取得部１１は、オペレータ（例：店員、顧客）の操作に応じて、購入対象の商品の商品情報を取得する（Ｓ１０）。例えば、商品情報取得部１１は、コードリーダ（例：バーコードリーダ、２次元コードリーダ）、タッチパネルディスプレイ、物理キー等の入力装置を介して入力された商品識別情報を取得する。また、商品情報取得部１１は、例えば取得した商品識別情報に対応する販売価格等を、予め登録されている商品マスタから取得する。
【００４９】
また、会計装置１０は、任意のタイミングで、特典情報の入力を受付けることができる。例えば、買物袋に付与された特典情報を表すコードをコードリーダで読み込ませる操作により、特典情報が入力される。その他、タッチパネルディスプレイのタッチ操作、物理キーの押下操作等により、各種特典情報が会計装置１０に入力されてもよい。この場合、買物袋に付与される特典情報は、コードを含まなくてもよい。例えば、会計時に、顧客は持参した特典情報付き買物袋を店員に提示する。すると、店員は、所定の操作で当該特典情報を会計装置１０に入力する。
【００５０】
Ｓ１１では、算出部１２は、上記入力操作等により、特典情報を取得済みか否か、を判断する。取得済みである場合（Ｓ１１のＹｅｓ）、算出部１２は、取得されている特典情報で示される特典を考慮して、購入金額合計を算出する（Ｓ１２）。
【００５１】
例えば、算出部１２は、購入金額合計から特典情報で示される割引率分を差し引いたり、特典情報で示される商品の販売価格から特典情報で示される割引率分を差し引いたりして、購入金額合計を算出する。なお、ここで例示した特典を考慮した購入金額合計の算出方法は一例に過ぎない。
【００５２】
一方、取得済みでない場合（Ｓ１１のＮｏ）、算出部１２は、特典情報を考慮せず、購入金額合計を算出する（Ｓ１３）。次いで、決定部１３は、顧客に提供される特典を決定する（Ｓ１４）。例えば、商品情報の入力を終了する任意の操作（例：「小計ボタン」に対する操作等の精算処理を開始する操作）を受付けると、決定部１３は、それに応じて、顧客に提供される特典を決定してもよい。
【００５３】
出力部１４は、Ｓ１４での決定内容に基づき、決定された特典を示す特典情報を買物袋に印刷する処理、又は、互いに異なる特典情報を付与された複数種類の買物袋の中のいずれを顧客に提供すべきかを示す情報をディスプレイに表示する処理を実行する（Ｓ１５）。
【００５４】
Ｓ１６では、会計装置１０は精算処理を行う。例えば、預かり金額の入力を受付ける処理、預かり金（紙幣、硬貨など）の入力を受付ける処理、釣銭額を算出する処理、釣銭額をディスプレイに表示する処理、釣銭（紙幣、硬貨など）を出力する処理等を行う。
【００５５】
なお、Ｓ１４及びＳ１５の処理と、Ｓ１６の処理との前後関係は、図示するものに限定されない。
【００５６】
次に、本実施形態の作用効果を説明する。本実施形態の会計装置１０は、会計処理時に顧客に提供する特典を決定すると、決定した特典を示す特典情報を買物袋に印刷する処理、又は、互いに異なる特典情報を付与された複数種類の買物袋の中のいずれを顧客に提供すべきかを示す情報をディスプレイに表示する処理を行うことができる。結果、顧客には、「次回来店時に当該買物袋を持参することで利用できる特典を付与された買物袋」が提供されることとなる。
【００５７】
かかる場合、顧客が、店舗で受け取った買物袋を次回来店時に持参することが期待される。すなわち、店舗で受け取った買物袋の次回来店時の持参を促進できる。これにより、次回来店時におけるその買物袋の再利用を促進できる。結果、店舗から顧客への買物袋の提供を低減できる。
【００５８】
なお、本実施形態の買物袋は、ポリエチレン等で製造されたレジ袋であってもよいし、その他の材料で製造されたものであってもよい。いずれであっても、店舗から顧客への買物袋の提供を低減することができる。結果、店舗の費用負担の軽減、ゴミの削減等が実現される。さらに、ポリエチレン等で製造されたレジ袋の場合は、環境問題の改善に寄与される。
【００５９】
＜第２の実施形態＞
まず、本実施形態の概要を説明する。本実施形態の会計システムは、顧客に提供した買物袋を顧客が持参した回数を特定することができる。そして、会計システムは、回数が増えるほど大きな特典を顧客に提供することができる。
【００６０】
このような本実施形態の会計システムによれば、顧客が、店舗で受け取った買物袋を繰り返し持参することが期待される。これにより、同じ買物袋の繰り返しの再利用を促進できる。結果、店舗から顧客への買物袋の提供を低減できる。
【００６１】
図６に示すように、本実施形態の会計システムは、複数の会計装置１０と、サーバ２０とを含む。会計装置１０及びサーバ２０間の通信手段は特段制限されず、あらゆる技術を採用できる。
【００６２】
会計装置１０及びサーバ２０のハードウエア構成は、第１の実施形態で説明した会計装置１０のハードウエア構成と同様なものとすることができる。
【００６３】
次に、本実施形態の会計装置１０及びサーバ２０各々の機能について説明する。
【００６４】
図７に、本実施形態の会計装置１０の機能ブロック図の一例を示す。図示するように、会計装置１０は、商品情報取得部１１と、算出部１２と、決定部１３と、出力部１４と、読込部１５と、返信情報取得部１６とを有する。商品情報取得部１１、決定部１３及び出力部１４の構成は、第１の実施形態と同様である。
【００６５】
読込部１５は、買物袋から所定の情報を取得する。具体的には、読込部１５は、買物袋に付与されているコードを読み込む。読込部１５は、コードリーダ（例：バーコードリーダ、２次元コードリーダ）を含んで構成される。例えば、読込部１５は、図３に示す買物袋１００に付与されたコード１０１を読み込む。
【００６６】
本実施形態では、所定のコードが買物袋に付与される。当該コードは、特典情報、及び、複数の買物袋各々を識別する袋識別情報を表す。なお、特典情報を表すコード及び袋識別情報を表すコードが別々に買物袋に付与されてもよいし、１つのコードが特典情報及び袋識別情報の両方を表してもよい。
【００６７】
返信情報取得部１６は、読込部１５により取得された袋識別情報をサーバ２０に送信する。そして、返信情報取得部１６は、買物袋から当該袋識別情報を取得された積算回数（コードリーダでコードを読み込まれた積算回数）をサーバ２０から取得する。
【００６８】
算出部１２は、読込部１５により取得された特典情報、及び、返信情報取得部１６により取得された積算回数に基づき、今回の会計処理時に適用するサービス内容（例：購入金額合計の算出に考慮するサービス内容等）を決定する。
【００６９】
特典は、積算回数が増えるほど、サービス内容がよくなるものであってもよい（例：割引率が大きくなる、プレゼントされる商品が高価になる）。例えば、図８に示すように、予め、特典情報毎に、積算回数（読込回数）に応じたサービス内容が定められていてもよい。そして、算出部１２は、図８に示すような情報に基づき、今回の会計処理時に適用するサービス内容を決定してもよい。
【００７０】
サービス内容が購入金額合計の算出に影響するものである場合（例：購入金額合計の割引）、算出部１２は、決定したサービス内容に基づき、購入金額合計を算出する。一方、サービス内容が購入金額合計に影響しないものである場合（例：商品のプレゼント）、算出部１２は、決定したサービス内容を考慮せず購入金額合計を算出する。かかる場合、会計装置１０は、ディスプレイに今回プレゼントする商品を表示してもよい。又は、会計装置１０は、レシートに商品を示す情報を印刷してもよい。これらに基づき、店員は、プレゼントする商品を把握できる。
【００７１】
算出部１２のその他の構成は、第１の実施形態と同様である。
【００７２】
なお、本実施形態の算出部１２及び返信情報取得部１６の機能を、以下のように変形することができる。
【００７３】
返信情報取得部１６は、読込部１５により取得された特典情報及び袋識別情報をサーバ２０に送信してもよい。そして、返信情報取得部１６は、当該特典情報及び当該袋識別情報に基づきサーバ２０で決定された今回の会計処理時に適用するサービス内容を取得してもよい。以下で説明するが、サーバ２０は、取得した袋識別情報に基づき、買物袋から当該袋識別情報を取得された積算回数を把握する。そして、サーバ２０は、当該積算回数と、取得した特典情報とに基づき、今回の会計処理時に適用するサービス内容を決定する。サーバ２０は、例えば、図８に示すような情報を用いてサービス内容を決定する。
【００７４】
図９に、本実施形態のサーバ２０の機能ブロック図の一例を示す。図示するように、サーバ２０は、読込情報取得部２１と、対応情報記憶部２２と、更新部２３と、返信情報決定部２４と、返信部２５とを有する。
【００７５】
対応情報記憶部２２は、袋識別情報各々に、買物袋から当該袋識別情報を取得された積算回数（コードリーダでコードを読み込まれた積算回数）を対応付けた対応情報を記憶する。図１０に、対応情報記憶部２２が記憶する対応情報の一例を模式的に示す。当該対応情報は、袋識別情報と読込回数（積算回数）とを対応付けている。
【００７６】
図９に戻り、読込情報取得部２１は、会計装置１０から、袋識別情報を取得する。更新部２３は、読込情報取得部２１が取得した袋識別情報に基づき、対応情報記憶部２２が記憶する対応情報（図１０参照）を更新する。すなわち、更新部２３は、読込情報取得部２１が袋識別情報を取得すると、それに応じて、対応する読込回数（積算回数）を１増やす。
【００７７】
返信情報決定部２４は、対応情報記憶部２２が記憶する対応情報（図１０参照）を参照して、読込情報取得部２１が取得した袋識別情報に対応する積算回数を取得する。読込情報取得部２１による袋識別情報の取得に応じて、更新部２３による更新、及び、返信情報決定部２４による積算回数の取得が行われるが、返信情報決定部２４による積算回数の取得は、更新部２３による更新の後に行われる。すなわち、返信情報決定部２４は、最新の袋識別情報の取得を反映させた最新の積算回数を取得する。
【００７８】
返信部２５は、返信情報決定部２４が取得した積算回数を、会計装置１０に返信する。当該積算回数が、会計装置１０の返信情報取得部１６により取得される。
【００７９】
なお、本実施形態の読込情報取得部２１、返信情報決定部２４及び返信部２５の機能を、以下のように変形することができる。
【００８０】
読込情報取得部２１は、会計装置１０から、袋識別情報及び特典情報を取得することができる。そして、返信情報決定部２４は、対応情報記憶部２２が記憶する対応情報を参照して、袋識別情報に対応する積算回数を取得し、取得した積算回数と特典情報とに基づいてサービス内容を決定することができる。積算回数及び特典情報に基づいてサービス内容を決定する処理は、上述した算出部１２によるものと同様であってもよい。
【００８１】
返信部２５は、返信情報決定部２４により決定されたサービス内容を、会計装置１０に返信する。
【００８２】
以上説明した本実施形態の会計システムによれば、第１の実施形態の会計装置と同様の作用効果を実現できる。また、本実施形態の会計システムによれば、顧客に提供した買物袋を顧客が持参した回数を特定することができる。そして、会計システムは、回数が増えるほど大きな特典を顧客に提供することができる。
【００８３】
このような本実施形態の会計システムによれば、顧客が、店舗で受け取った買物袋を繰り返し持参することが期待される。これにより、同じ買物袋の繰り返しの再利用を促進できる。結果、店舗から顧客への買物袋の提供を低減できる。
【００８４】
ここで、本実施形態の変形例を説明する。例えば、店舗が顧客に提供する買物袋と異なる買物袋（例：顧客が自身で購入したもの。以下、「エコバッグ」という。）に、エコバッグであることを示す情報、及び、袋識別情報が付与されてもよい。例えば、このような情報を記憶する電子タグや、このような情報を表すコード（例：バーコード、２次元コード）を付与されたタグがエコバッグにとりつけられてもよい。例えば、店舗から顧客にこのようなタグが提供されてもよい。そして、顧客は、自身のエコバッグに受け取ったタグを取り付けてもよい。会計装置１０は、当該タグから、袋識別情報や、エコバッグであることを示す情報を取得してもよい。そして、会計装置１０は、これらの情報をサーバ２０に送信してもよい。
【００８５】
サーバ２０は、同様にして、エコバッグから袋識別情報を取得された積算回数を管理することができる。そして、サーバ２０は、積算回数を会計装置１０に返信したり、積算回数に基づいて決定したサービス内容を会計装置１０に返信したりできる。例えば、予め、エコバッグ持参時の特典が定められていてもよい。そして、当該特典は、持参回数が増えるほどサービス内容がよくなるものであってもよい（例：割引率が大きくなる、プレゼントされる商品が高価になる）。サーバ２０は、当該情報に基づいて、サービス内容を決定してもよい。なお、サーバ２０から積算回数を取得した会計装置１０が、同様にしてサービス内容を決定してもよい。
【００８６】
他の変形例を説明する。会計装置１０は、図１１に示すように、持参回数に応じたサービス内容を示す特典情報を買物袋１００に印刷してもよい。そして、店員は、持参回数に応じたコード１０１（コード１０１−１乃至１０１−３）を会計装置１０に読み込ませてもよい。例えば、店員は、１回目や２回目の持参時に対応するコード１０１を読み込ませると、その旨を示す情報を買物袋１００に付与してもよい。例えば、マジック等で対応する回数のコード１０１に線を引いたり、所定のマークを記載したりしてもよい。これにより、店員は、今回の持参が何回目かを把握できる。
【００８７】
以上説明した変形例においても、本実施形態と同様の作用効果を実現できる。
【００８８】
以下、参考形態の例を付記する。
１．  顧客に提供される特典を決定する決定手段と、
前記決定手段の決定内容に基づき、決定された前記特典を示す特典情報を前記顧客に提供される買物袋に印刷する処理、又は、互いに異なる前記特典情報を付与された複数種類の買物袋の中のいずれを顧客に提供すべきかを示す情報をディスプレイに表示する処理を実行する出力手段と、
を有する会計装置。
２．  １に記載の会計装置において、
商品情報を取得する商品情報取得手段と、
前記商品情報に基づき、購入金額合計を算出する算出手段と、
をさらに有し、
前記決定手段は、前記商品情報、及び、前記購入金額合計のうちの少なくとも一方に基づき、前記特典を決定する会計装置。
３．  １又は２に記載の会計装置において、
前記特典情報、及び、複数の買物袋各々を識別する袋識別情報を、前記買物袋から取得する読込手段と、
前記袋識別情報をサーバに送信し、当該買物袋から前記特典情報及び前記袋識別情報を取得された積算回数を前記サーバから取得する返信情報取得手段と、
をさらに有し、
前記算出手段は、前記特典情報及び前記積算回数に基づき、今回のサービス内容を決定する会計装置。
４．  ３に記載の会計装置において、
前記特典は、前記積算回数に基づきサービス内容が変わるものであり、
前記算出手段は、前記特典情報及び前記積算回数に基づき、今回の会計処理時に適用する前記サービス内容を決定し、決定した前記サービス内容に基づき前記購入金額合計を算出する会計装置。
５．  １又は２に記載の会計装置において、
前記特典情報、及び、複数の買物袋各々を識別する袋識別情報を、前記買物袋から取得する読込手段と、
前記特典情報及び前記袋識別情報をサーバに送信し、当該買物袋から前記特典情報及び前記袋識別情報を取得された積算回数に基づいて決定されたサービス内容を前記サーバから取得する返信情報取得手段と、
をさらに有する会計装置。
６．  複数の買物袋各々を識別する袋識別情報を、前記買物袋から取得する読込手段と、
前記袋識別情報をサーバに送信し、当該買物袋から前記袋識別情報を取得された積算回数を前記サーバから取得する返信情報取得手段と、
前記積算回数に基づき、今回のサービス内容を決定する算出手段と、
を有する会計装置。
７．  複数の買物袋各々を識別する袋識別情報を、前記買物袋から取得する読込手段と、
前記袋識別情報をサーバに送信し、当該買物袋から前記袋識別情報を取得された積算回数に基づいて決定されたサービス内容を前記サーバから取得する返信情報取得手段と、
を有する会計装置。
８．  複数の買物袋各々から取得された前記買物袋を識別する袋識別情報を、会計装置から取得する読込情報取得手段と、
前記袋識別情報各々に、前記袋識別情報を取得された積算回数を対応付けた対応情報を記憶する対応情報記憶手段と、
前記読込情報取得手段が取得した前記袋識別情報に基づき、前記対応情報を更新する更新手段と、
前記対応情報を参照して、前記読込情報取得手段が取得した前記袋識別情報に対応する前記積算回数を取得する返信情報決定手段と、
前記返信情報決定手段が取得した前記積算回数を、前記会計装置に返信する返信手段と、
を有するサーバ。
９．  複数の買物袋各々から取得された前記買物袋を識別する袋識別情報を、会計装置から取得する読込情報取得手段と、
前記袋識別情報各々に、前記袋識別情報を取得された積算回数を対応付けた対応情報を記憶する対応情報記憶手段と、
前記対応情報を参照して、前記読込情報取得手段が取得した前記袋識別情報に対応する前記積算回数を取得し、前記積算回数に基づいてサービス内容を決定する返信情報決定手段と、
前記返信情報決定手段が取得した前記サービス内容を、前記会計装置に返信する返信手段と、
を有するサーバ。
１０．  ３、４又は６に記載の会計装置と、８に記載のサーバとを有する会計システム。
１１．  ５又は７に記載の会計装置と、９に記載のサーバとを有する会計システム。
１２．  コンピュータが、
顧客に提供される特典を決定する決定工程と、
前記決定工程での決定内容に基づき、決定された前記特典を示す特典情報を前記顧客に提供される買物袋に印刷する処理、又は、互いに異なる前記特典情報を付与された複数種類の買物袋の中のいずれを顧客に提供すべきかを示す情報をディスプレイに表示する処理を実行する出力工程と、
を実行する処理方法。
１２−２．  １２に記載の処理方法において、
前記コンピュータが、
商品情報を取得する商品情報取得工程と、
前記商品情報に基づき、購入金額合計を算出する算出工程と、
をさらに実行し、
前記決定工程では、前記商品情報、及び、前記購入金額合計のうちの少なくとも一方に基づき、前記特典を決定する処理方法。
１２−３．  １２又は１２−２に記載の処理方法において、
前記コンピュータが、
前記特典情報、及び、複数の買物袋各々を識別する袋識別情報を、前記買物袋から取得する読込工程と、
前記袋識別情報をサーバに送信し、当該買物袋から前記特典情報及び前記袋識別情報を取得された積算回数を前記サーバから取得する返信情報取得工程と、
をさらに実行し、
前記算出工程では、前記特典情報及び前記積算回数に基づき、今回のサービス内容を決定する処理方法。
１２−４．  １２−３に記載の処理方法において、
前記特典は、前記積算回数に基づきサービス内容が変わるものであり、
前記算出工程では、前記特典情報及び前記積算回数に基づき、今回の会計処理時に適用する前記サービス内容を決定し、決定した前記サービス内容に基づき前記購入金額合計を算出する処理方法。
１２−５．  １２又は１２−２に記載の処理方法において、
前記コンピュータが、
前記特典情報、及び、複数の買物袋各々を識別する袋識別情報を、前記買物袋から取得する読込工程と、
前記特典情報及び前記袋識別情報をサーバに送信し、当該買物袋から前記特典情報及び前記袋識別情報を取得された積算回数に基づいて決定されたサービス内容を前記サーバから取得する返信情報取得工程と、
をさらに実行する処理方法。
１３．  コンピュータを、
顧客に提供される特典を決定する決定手段、
前記決定手段の決定内容に基づき、決定された前記特典を示す特典情報を前記顧客に提供される買物袋に印刷する処理、又は、互いに異なる前記特典情報を付与された複数種類の買物袋の中のいずれを顧客に提供すべきかを示す情報をディスプレイに表示する処理を実行する出力手段、
として機能させるプログラム。
１３−２．  １３に記載のプログラムにおいて、
前記コンピュータを、
商品情報を取得する商品情報取得手段、
前記商品情報に基づき、購入金額合計を算出する算出手段、
としてさらに機能させ、
前記決定手段は、前記商品情報、及び、前記購入金額合計のうちの少なくとも一方に基づき、前記特典を決定するプログラム。
１３−３．  １３又は１３−２に記載のプログラムにおいて、
前記コンピュータを、
前記特典情報、及び、複数の買物袋各々を識別する袋識別情報を、前記買物袋から取得する読込手段、
前記袋識別情報をサーバに送信し、当該買物袋から前記特典情報及び前記袋識別情報を取得された積算回数を前記サーバから取得する返信情報取得手段、
としてさらに機能させ、
前記算出手段は、前記特典情報及び前記積算回数に基づき、今回のサービス内容を決定するプログラム。
１３−４．  １３−３に記載のプログラムにおいて、
前記特典は、前記積算回数に基づきサービス内容が変わるものであり、
前記算出手段は、前記特典情報及び前記積算回数に基づき、今回の会計処理時に適用する前記サービス内容を決定し、決定した前記サービス内容に基づき前記購入金額合計を算出するプログラム。
１３−５．  １３又は１３−２に記載のプログラムにおいて、
前記コンピュータを、
前記特典情報、及び、複数の買物袋各々を識別する袋識別情報を、前記買物袋から取得する読込手段、
前記特典情報及び前記袋識別情報をサーバに送信し、当該買物袋から前記特典情報及び前記袋識別情報を取得された積算回数に基づいて決定されたサービス内容を前記サーバから取得する返信情報取得手段、
としてさらに機能させるプログラム。
【符号の説明】
【００８９】
１Ａ    プロセッサ
２Ａ    メモリ
３Ａ    入出力Ｉ／Ｆ
４Ａ    周辺回路
５Ａ    バス
１０    会計装置
１１    商品情報取得部
１２    算出部
１３    決定部
１４    出力部
１５    読込部
１６    返信情報取得部
２０    サーバ
２１    読込情報取得部
２２    対応情報記憶部
２３    更新部
２４    返信情報決定部
２５    返信部
【図１】
2018073274.tif 000003
【図２】
2018073274.tif 000004
【図３】
2018073274.tif 000005
【図４】
2018073274.tif 000006
【図５】
2018073274.tif 000007
【図６】
2018073274.tif 000008
【図７】
2018073274.tif 000009
【図８】
2018073274.tif 000010
【図９】
2018073274.tif 000011
【図１０】
2018073274.tif 000012
【図１１】
2018073274.tif 000013